(57)【要約】  【目的】記録再生特性の劣化を低減しつつ高密度記録再生を可能にする光ディスクとその記録再生装置、記録再生方法を提供する。  【構成】プリピットＰＰがグルーブＧのウォブルの位相の所定位置に形成され、且つグルーブＧに記録する情報信号ＳｄへのシンクフレームＳＦのシンクフレーム周期Ｔｓｆに対して所定の間隔（例えば２Ｔｓｆ）で形成されると共にグルーブＧの両側では、所定の間隔を保ちつつ互いに一致しないように位置をずらして形成され、プリピットＰＰがシンクフレームＳＦのシンクコードＳＣ位置に対応する位相で配置され、且つシンクフレームＳＦ毎にトラック方向の長さＸが異なる複数種のビットパターン（例えば２Ｔ、４Ｔ）から選択された複数のビット（例えばＢ１、Ｂ２の２個）の組み合わせからなり、プリピットＰＰとして多くの補助情報を形成できるフォーマットの光ディスク１と該光ディスク１の記録再生装置及び記録再生方法。【選択図】  図１
2006244598.tif 000002
【特許請求の範囲】
【請求項１】
ディスクの最内周から最外周に亘って略同心円状又は螺旋状にウォブリングしつつ形成されているグルーブと、このグルーブ間にそれぞれ連続形成されているランドとを対にしたトラックを備え、
前記ランドには前記グルーブに情報信号を記録及び再生する際に用いられる補助情報がプリピットとして予め記録され、
前記グルーブに記録される前記情報信号の記録領域がディスクの半径方向に複数のゾーンに分割され、
前記グルーブは前記各ゾーン内でウォブルの位相が常に同位相に形成され、
前記プリピットは前記グルーブに記録する前記情報信号へのシンクフレームのシンクフレーム周期に対して所定の間隔でシンクコード位置に対応するウォブルの位相の所定位置のみに形成されると共に、前記グルーブの両側のランド間ではプリピットの位置が互いに同位相で一致しないようにトラック方向の位置をずらして形成されている光ディスクであって、
前記シンクフレームのシンクコード位置に対応するウォブルの位相の所定位置に形成された前記プリピットが、シンクフレーム毎にトラック方向の長さが異なる複数種のビットパターンから選択された複数のビットの組み合わせからなることを特徴とする光ディスク。
【請求項２】
ディスクの最内周から最外周に亘って略同心円状又は螺旋状にウォブリングしつつ形成されているグルーブと、このグルーブ間にそれぞれ連続形成されているランドとを対にしたトラックを備え、
前記ランドには前記グルーブに情報信号を記録及び再生する際に用いられる補助情報がプリピットとして予め記録され、
前記グルーブに記録される前記情報信号の記録領域がディスクの半径方向に複数のゾーンに分割され、
前記グルーブは前記各ゾーン内でウォブルの位相が常に同位相に形成され、
前記プリピットは前記グルーブに記録する前記情報信号へのシンクフレームのシンクフレーム周期に対して所定の間隔でシンクコード位置に対応するウォブルの位相の所定位置のみに形成されると共に、前記グルーブの両側のランド間ではプリピットの位置が互いに同位相で一致しないようにトラック方向の位置をずらして形成され、且つ、シンクフレーム毎にトラック方向の長さが異なる複数種のビットパターンから選択された複数のビットの組み合わせからなる構造の光ディスクの記録再生を行う光ディスク記録再生装置であって、
前記光ディスクをピックアップで再生した再生信号からウォブル信号を検出するウォブル検出手段と、
前記再生信号と前記ウォブル信号に基づいて、前記再生信号から前記プリピットのプリピット信号を分離すると共に、プリピット位置情報を出力するプリピット位置検出手段と、
前記プリピット位置検出手段によって分離、出力されたトラック方向の長さが異なる複数種のビットパターンから選択された複数のビットの組み合わせからなるプリピットのビット配列状態より得られる信号を復調して２値化されたデータを生成するプリピット復調手段と、
前記プリピット復調手段で復調された前記データを読み取り、アドレス情報を含む記録及び再生に必要な前記補助情報を得るプリピット再生手段と、
前記補肋情報に基づいて記録・再生条件を設定する記録・再生条件設定手段と、
外部から入力される前記情報信号の記録データから前記シンクフレーム内のシンクコード位置を検出し、該シンクコード位置が前記プリピット位置情報の位相と合致するように前記記録データを出力するアドレス同期手段と、
前記記録・再生条件に応じて前記記録データを情報信号として前記光ディスクに記録し再生するレーザー駆動手段と、
からなることを特徴とする光ディスク記録再生装置。
【請求項３】
ディスクの最内周から最外周に亘って略同心円状又は螺旋状にウォブリングしつつ形成されているグルーブと、このグルーブ間にそれぞれ連続形成されているランドとを対にしたトラックを備え、
前記ランドには前記グルーブに情報信号を記録及び再生する際に用いられる補助情報がプリピットとして予め記録され、
前記グルーブに記録される前記情報信号の記録領域がディスクの半径方向に複数のゾーンに分割され、
前記グルーブは前記各ゾーン内でウォブルの位相が常に同位相に形成され、
前記プリピットは前記グルーブに記録する前記情報信号へのシンクフレームのシンクフレーム周期に対して所定の間隔でシンクコード位置に対応するウォブルの位相の所定位置のみに形成されると共に、前記グルーブの両側のランド間ではプリピットの位置が互いに同位相で一致しないようにトラック方向の位置をずらして形成され、且つ、シンクフレーム毎にトラック方向の長さが異なる複数種のビットパターンから選択された複数のビットの組み合わせからなる構造の光ディスクの記録再生を行う光ディスク記録再生方法であって、
前記光ディスクをピックアップで再生した再生信号からウォブル信号を検出し、前記再生信号と前記ウォブル信号に基づいて、前記再生信号から前記プリピットのプリピット信号を分離すると共に、プリピット位置情報を出力し、分離、出力されたトラック方向の長さが異なる複数種のビットパターンから選択された複数のビットの組み合わせからなるプリピットのビット配列状態より得られる信号を復調して２値化されたデータを生成し、そのデータを再生して各ゾーン毎に記録及び再生に必要な前記補助情報を得て、この補肋情報に基づいて記録・再生条件を設定し、この後、外部から入力される前記情報信号の記録データから前記シンクフレーム内のシンクコード位置を検出し、該シンクコード位置が前記プリピット位置情報の位相と合致するようにして前記記録データを出力し、更に、前記記録・再生条件に応じてレーザーを駆動して前記記録データを情報信号として前記光ディスクに記録し再生することを特徴とする光ディスク記録再生方法。
【発明の詳細な説明】
【技術分野】
【０００１】
本発明はデジタル情報信号を記録再生する光ディスク、光ディスク記録再生装置及び光ディスク記録再生方法に関するものである。
【背景技術】
【０００２】
光ディスクに構成されたうねり（以降、ウォブルという）を待ったグルーブに記録再生が可能でグルーブ間に存在するランドに補肋情報（以降、プリピットという。）が予め記録されている光ディスクのフォーマットとしてＤＶＤ−ＲＷ（ＤＶＤ  Ｆｏｒｕｍより提案）が知られている。
【０００３】
また、公知技術として、下記［特許文献１］には、高密度記録を目的とし、狭いトラック幅及び狭いトラックピッチでもアドレス情報の読取りや光ディスクの回転制御を正確に得るために、ウォブルしたグルーブと、これに隣接するグルーブ間に位置するランドとを対にしたトラックがディスク基板上で最内周から最外周に亙って螺旋状又は同心円状に形成され、かつランド上にはグルーブに記録する情報信号への補助情報（セクター情報）がプリピットとして予め形成された光ディスク及びこの光ディスクを記録再生するための光ディスク記録再生方法及び記録再生装置が開示されている。
【０００４】
然るに、上記ＤＶＤ−ＲＷ及び［特許文献１］記載の公知の光ディスク並びにその記録装置や再生装置では、線速度一定（ＣＬＶ）で記録再生を行うため、以下の問題点を有している。
（１）ランドを挟んで隣接するグルーブのウォブルが逆位相になる箇所が存在するために隣接トラックからのクロストークが大きくなり、信号品質が劣化して記録に使えない領域がディスク面上に複数存在する。また、逆位相になるためにプリピット信号が劣化する等の問題が生じる。
（２）半径方向に大きな距離のデータシークを行う場合、スピンドルモータの回転数がデータ記録あるいは再生可能な範囲に落ち着くまで長時間を要するために、データシーク時間がかかる。
（３）プリピットが、隣接トラックで同じ位相に存在してしまう場合、再生ができないために、位相を変える処理が必要である。
【０００５】
この点、上記（１）のランドを挟んで隣接するグルーブのウォブルが逆位相になり、データの品位が低下するという問題点を解決するために、下記［特許文献２］に記載されている「光ディスク及びその製造装置」では、隣接するグルーブ間でウォブルの位相を一致させて上記（１）の問題の解決を図っているが、上記（２）、（３）の問題点に関しては問題の指摘、解決の示唆に言い及んでいない。
【０００６】
そして、上記（２）、（３）の問題点を解決するものとして、本出願人より下記［特許文献３］に開示される「光ディスク、光ディスク記録再生装置及び光ディスク記録再生方法」の発明を提案した。
【０００７】
図４は、この［特許文献３］に開示された光ディスクに形成されているグルーブを模式的に拡大して示した図である。
【０００８】
図４において、光ディスク１１の最内周から最外周に亙って略同心円状又は螺旋状に形成されているグルーブＧと、このグルーブ間にそれぞれ連続形成されているランドＬとを対にしたトラック（例えば図４中のグルーブＧとランドＬ２の対で１トラックとする。）を備え、前記ランドＬには前記グルーブＧに外部からの記録データである情報信号（アドレス情報やレーザーパワー等の光ディスク側から伝える記録再生条件の情報）を記録及び再生する際に用いられる補助情報がプリピットＰＰとして予め記録され、前記グルーブＧに記録される前記情報信号の記録領域がディスクの半径方向に複数のゾーンに分割されて、各ゾーン毎に回転数が段階的に線速度一定（ＣＬＶ）に切り換えられると共に、各ゾーン内では各ゾーン毎に設定された回転数で角速度一定（ＣＡＶ）に回転制御され、前記グルーブＧは前記各ゾーン内でウォブルの位相が常に同位相に形成され、前記プリピットＰＰは前記グルーブＧに記録する前記情報信号へのシンクフレームＳＦのシンクフレーム周期Ｔｓｆに対して所定の間隔（例えば２Ｔｓｆ）でシンクコードＳＣの位置に対応するウォブルの位相の所定位置（例えば図４のようにウォブルのピーク位置）に１ビットのみで配置され、且つそのトラック方向の長さがシンクフレームＳＦ毎に異なっているように形成されると共に、前記グルーブＧ２の両側のランドＬ１、Ｌ２間ではプリピットＰＰの位置が互いに同位相で一致しないようにトラック方向の位置をずらして（例えば図４のようにシンクフレームＳＦの１つおきに交互に）形成されている。尚、上記プリピットＰＰのビットのトラック方向の長さＸは、例えば図５に示されるように（ａ）ビットの長さＸ＝２Ｔでデータ０を表し、（ｂ）ビットの長さＸ＝６Ｔでデータ１を表すこととすれば、少なくとも一箇所のプリピットＰＰで２値化されたデータが一つ以上得られることになる。
【０００９】
上記光ディスク１１の構造によれば、ウォブル位相が逆位相になってグルーブ間隔（トラックピッチ）が小さくなることにより生ずる隣接トラックからのクロストークは発生しない。また、プリピット信号Ｓｐｐについても、隣接するプリピット位置が隣接ランド間で重なって打ち消し合い、十分な出力を得ることができないといった問題も生じることはない。
【００１０】
更に、ＤＶＤ規格等では、記録される情報信号は前記シンクフレームＳＦに分割され、一つのシンクフレームＳＦにはその先頭部分にシンクフレーム毎の同期をとるための同期情報として用いられるシンクコードＳＣ（ユーザーデータには存在しない長いマーク（ＤＶＤ−ＲＷ等に使われる８−１６変調では１４Ｔ）を含む。）があり、このシンクコードＳＣに続いてユーザーデータが形成されているが、プリピット位置にシンクコードＳＣの位相を合わせてデータを記録することで前記プリピットＰＰによる再生信号の劣化が防げるのである（記録されるデータのビットがトラック方向のプリピットＰＰのビットの長さとほぼ同じくらいのときはプリピットＰＰとの干渉によりデータ信号の再生波形に乱れを生じるが、シンクコードＳＣの長いマークと同位相とすることでその影響は少なく再生波形に乱れは生じない）。
【００１１】
【特許文献１】特開平９−３２６１３８号公報
【００１２】
【特許文献２】特開平１０−２５５３３０号公報
【特許文献３】特開２００３−１４１７４０号公報
【発明の開示】
【発明が解決しようとする課題】
【００１３】
さて、光ディスクの一層の高密度化を図る場合、或いは複数の記録層を持つ光ディスクの場合、アドレスが付加される単位大きさ（セクタ、ブロック等）のデータの数も比例して多くなり、さらに分割されたゾーン毎、記録層毎、場合によってはそれ以上に細かく分割して記録再生やサーボの制御を精度良く行うために必要な情報量も多くなり、プリピットＰＰに書き込むベき補助情報のデータ量も増加すると予想される。
【００１４】
しかし、前記［特許文献３］の前記光ディスク１１の提案によると、プリピットＰＰはシンクフレームＳＦの間隔でシンクフレーム毎にシンクコードＳＣの位置にトラック方向の長さが異なる１つのビットとして形成されるのがベストであり、その形成箇所をデータ量に合わせて増やすと、ユーザーデータの記録領域にまで及んでしまい、前記した再生波形の乱れが生じ、再生特性劣化を招く。
【００１５】
本発明は上記問題に鑑みて為されたものであり、プリピットＰＰを形成する箇所をシンクコードＳＣの位置以外に増やすことなく、１箇所のプリピットＰＰにより多くの必要な情報量を記録し、且つエラーレート等の記録再生特性の劣化を低減した光ディスク、光ディスク記録再生装置及び光ディスク記録再生方法を提供することを目的とする。
【課題を解決するための手段】
【００１６】
本発明は、
（１）  ディスクの最内周から最外周に亘って略同心円状又は螺旋状にウォブリングしつつ形成されているグルーブＧと、このグルーブ間にそれぞれ連続形成されているランドＬとを対にしたトラックを備え、前記ランドＬには前記グルーブＧに情報信号Ｓｄを記録及び再生する際に用いられる補助情報ＤＨがプリピットＰＰとして予め記録され、前記グルーブＧに記録される前記情報信号Ｓｄの記録領域がディスクの半径方向に複数のゾーンに分割され、前記グルーブＧは前記各ゾーン内でウォブルの位相が常に同位相に形成され、前記プリピットＰＰは前記グルーブＧに記録する前記情報信号ＳｄへのシンクフレームＳＦのシンクフレーム周期Ｔｓｆに対して所定の間隔でシンクコードＳＣ位置に対応するウォブルの位相の所定位置のみに形成されると共に、前記グルーブＧの両側のランドＬ間ではプリピットＰＰの位置が互いに同位相で一致しないようにトラック方向の位置をずらして形成されている光ディスク１であって、前記シンクフレームＳＦのシンクコードＳＣ位置に対応するウォブルの位相の所定位置に形成された前記プリピットＰＰが、シンクフレームＳＦ毎にトラック方向の長さが異なる複数種のビットパターン（例えば、２Ｔ，４Ｔ）から選択された複数のビット（例えば、Ｂ１とＢ２の２個）の組み合わせからなることを特徴とする光ディスク１を提供することにより、上記課題を解決する。
（２）  また、ディスクの最内周から最外周に亘って略同心円状又は螺旋状にウォブリングしつつ形成されているグルーブＧと、このグルーブ間にそれぞれ連続形成されているランドＬとを対にしたトラックを備え、前記ランドＬには前記グルーブＧに情報信号Ｓｄを記録及び再生する際に用いられる補助情報ＤＨがプリピットＰＰとして予め記録され、前記情報信号Ｓｄの記録領域がディスクの半径方向に複数のゾーンに分割され、前記グルーブＧは前記各ゾーン内でウォブルの位相が常に同位相に形成され、前記プリピットＰＰは前記グルーブＧに記録する前記情報信号ＳｄへのシンクフレームＳＦのシンクフレーム周期Ｔｓｆに対して所定の間隔でシンクコードＳＣ位置に対応するウォブルの位相の所定位置のみに形成されると共に、前記グルーブＧの両側のランドＬ間ではプリピットＰＰの位置が互いに同位相で一致しないようにトラック方向の位置をずらして形成され、且つ、シンクフレームＳＦ毎にトラック方向の長さが異なる複数種のビットパターン（例えば、２Ｔと４Ｔの長さのビットパターン）から選択された複数のビット（例えば、２個）の組み合わせからなる構造の光ディスク１の記録再生を行う光ディスク記録再生装置１０であって、前記光ディスク１をピックアップ２で再生した再生信号Ｓからウォブル信号Ｗを検出するウォブル検出手段３と、前記再生信号Ｓと前記ウォブル信号Ｗに基づいて、前記再生信号Ｓから前記プリピットＰＰのプリピット信号Ｓｐｐを分離すると共に、プリピット位置情報（ＰＰタイミング）を出力するプリピット位置検出手段４と、前記プリピット位置検出手段４によって分離、出力されたトラック方向の長さＸが異なる（例えばＸ１とＸ２で、Ｘ１ ｎｏｔ equal Ｘ２）複数種のビットパターンＢ１、Ｂ２・・から選択された複数のビット（例えば２個）の組み合わせからなる前記プリピットＰＰのビット配列状態より得られる信号を復調して２値化されたデータＤｐｐを生成するプリピット復調手段５と、前記プリピット復調手段５で復調された前記データＤｐｐを読み取り、アドレス情報を含む記録及び再生に必要な前記補助情報ＤＨを得るプリピット再生手段６と、前記補肋情報ＤＨに基づいて記録・再生条件を設定する記録・再生条件設定手段７と、外部から入力される前記情報信号Ｓｄの記録データＤから前記シンクフレームＳＦ内のシンクコードＳＣ位置を検出し、該シンクコードＳＣ位置が前記プリピット位置情報（ＰＰタイミング）の位相と合致するように前記記録データＤを出力するアドレス同期手段８と、前記記録・再生条件に応じて前記記録データＤを情報信号Ｓｄとして前記光ディスク１に記録し再生するレーザー駆動手段９と、からなることを特徴とする光ディスク記録再生装置１０を提供することにより、上記課題を解決する。
（３）  更に、ディスクの最内周から最外周に亘って略同心円状又は螺旋状にウォブリングしつつ形成されているグルーブＧと、このグルーブ間にそれぞれ連続形成されているランドＬとを対にしたトラックを備え、前記ランドＬには前記グルーブＧに情報信号Ｓｄを記録及び再生する際に用いられる補助情報ＤＨがプリピットＰＰとして予め記録され、前記情報信号Ｓｄの記録領域がディスクの半径方向に複数のゾーンに分割され、前記グルーブＧは前記各ゾーン内でウォブルの位相が常に同位相に形成され、前記プリピットＰＰは前記グルーブＧに記録する前記情報信号ＳｄへのシンクフレームＳＦのシンクフレーム周期Ｔｓｆに対して所定の間隔でシンクコードＳＣ位置に対応するウォブルの位相の所定位置のみに形成されると共に、前記グルーブＧの両側のランドＬ間ではプリピットＰＰの位置が互いに同位相で一致しないようにトラック方向の位置をずらして形成され、且つ、シンクフレームＳＦ毎にトラック方向の長さＸが異なる（例えばＸ１とＸ２で、Ｘ１ ｎｏｔ equal Ｘ２）複数種のビットパターンＢ１、Ｂ２・・から選択された複数のビット（例えば２個）の組み合わせからなる構造の光ディスク１の記録再生を行う光ディスク記録再生方法であって、前記光ディスク１をピックアップ２で再生した再生信号Ｓからウォブル信号Ｗを検出し、前記再生信号Ｓと前記ウォブル信号Ｗに基づいて、前記再生信号Ｓから前記プリピットＰＰのプリピット信号Ｓｐｐを分離すると共に、プリピット位置情報（ＰＰタイミング）を出力し、分離、出力されたトラック方向の長さが異なる複数種のビットパターンＢ１、Ｂ２・・から選択された複数のビットの組み合わせからなるプリピットＰＰのビット配列状態より得られる信号を復調して２値化されたデータＤｐｐを生成し、そのデータＤｐｐを再生して各ゾーン毎に記録及び再生に必要な前記補助情報ＤＨを得て、この補肋情報ＤＨに基づいて記録・再生条件を設定し、この後、外部から入力される前記情報信号Ｓｄの記録データＤから前記シンクフレームＳＦ内のシンクコードＳＣ位置を検出し、該シンクコードＳＣ位置が前記プリピット位置情報（ＰＰタイミング）の位相と合致するようにして前記記録データＤを出力し、更に、前記記録・再生条件に応じてレーザーを駆動して前記記録データＤを前記光ディスク１に情報信号Ｓｄとして記録し再生することを特徴とする光ディスク記録再生方法を提供することにより、上記課題を解決する。
【発明の効果】
【００１７】
以上のように、本発明に係る光ディスクによれば、ランドに形成されたプリピットが複数のシンクフレームの各シンクコードに対応する位相に配置されているため、記録データとプリピットとの干渉がなくなり、再生波形の乱れが防止され、エラーレート等の記録再生特性の劣化が低減され、且つ、プリピットがシンクフレーム毎にトラック方向の長さが異なる複数種のビットパターンから選択された複数のビットの組み合わせからなっているので、従来の最大３つのプリピットを用いてプリピットデータ０，１を表していた場合（現行のＤＶＤ−ＲＷのフォーマット）やプリピットである１つのビットのトラック方向の長さのみを変化させてデータ０，１を表した場合（［特許文献３］の場合）と比べて数倍のデータ量を、トラック方向長さの異なる複数のビット並びにビット間隔の配列の仕方（状態）を変えることによって表す（記録する）ことができる。
【００１８】
また、本発明に係る光ディスク記録再生装置によれば、高密度化に伴って光ディスクのアドレス情報を含む記録再生に必要或いは有益になると思われる詳細な多くの補助情報をプリピットのプリピット信号の再生によって得られるので、エラーレート等の記録再生特性の劣化を一層低減することができる。
【００１９】
更に、本発明に係る光ディスク記録再生方法によれば、光ディスクの記録再生時において、記録再生に有益な多くの補助情報がプリピット信号から得られるので、エラーレート等の記録再生特性の劣化を低減することができる。
【発明を実施するための最良の形態】
【００２０】
本発明に係る光ディスク、光ディスク記録再生装置及び光ディスク記録再生方法の実施の形態について図面を参照しながら説明する。尚、装置の構成、動作において本発明に関与しない部分は本図では省略して説明を略す。
【００２１】
図１は本発明の実施の形態に係る光ディスクの特徴であるプリピットの配置を示す模式図である。図２は本発明の実施の形態に係る光ディスクのプリピットのビットパターンを示す図である。図３は本発明の実施の形態に係る光ディスク記録再生装置を示す図である。
【００２２】
図１〜図３において、本発明に係る光ディスク１では、ディスクの最内周から最外周に亘って略同心円状又は螺旋状にウォブリングしつつ形成されているグルーブＧと、このグルーブ間にそれぞれ連続形成されているランドＬとを対にしたトラックを備え、前記ランドＬには前記グルーブＧに情報信号Ｓｄを記録及び再生する際に用いられる補助情報ＤＨがプリピットＰＰとして予め記録され、前記グルーブＧに記録される前記情報信号Ｓｄの記録領域がディスクの半径方向に複数のゾーンに分割されて、各ゾーン毎に回転数が段階的に線速度一定に切り換えられると共に、各ゾーン内では各ゾーン毎に設定された回転数で角速度一定に回転制御され（このフォーマットは例えばＤＶＤ−ＲＡＭに採用されているＺＣＬＶ方式に類似する。）、前記グルーブＧは前記各ゾーン内でウォブルの位相が常に同位相に形成され、前記プリピットＰＰは前記グルーブＧに記録する前記情報信号ＳｄへのシンクフレームＳＦのシンクフレーム周期Ｔｓｆに対して所定の間隔（例えば図１では２Ｔｓｆの間隔）でシンクコードＳＣ位置に対応するウォブルの位相の所定位置（例えば図１ではウォブルのピーク位置）のみに形成されると共に、前記グルーブＧの両側のランドＬ間ではプリピットＰＰの位置が互いに同位相で一致しないようにトラック方向の位置をずらして（例えば図１では１シンクフレームごとに交互にずらしている。）形成されている前述の［特許文献３］に提案されている光ディスク１１と同様の構成に加えて、前記シンクフレームＳＦのシンクコードＳＣ位置に対応するウォブルの位相の所定位置に形成された前記プリピットＰＰが、特に、シンクフレームＳＦ毎にトラック方向の長さＸが異なる複数種のビットパターン（例えば、図２に示されるように、２Ｔと４Ｔの長さの２種類）から選択された複数のビット（例えば、図１、図２ではＢ１とＢ２の２個）の組み合わせからなるプリピットＰＰを形成している点が特徴となっている。
【００２３】
即ち、前記ランドＬ上の前記プリピットＰＰが、隣接する前記グルーブＧ上のシンクフレームＳＦの先頭にあるシンクコードＳＣに対応する位相の範囲内に１ビット〜数ビット（図１、図２ではＢ１とＢ２の２ビット）で配置され、且つそれぞれのビットＢ１、Ｂ２・・のトラック方向の長さＸは２Ｔ、４Ｔと異なる長さ２種の組み合わせで構成された配置状態となっている。
【００２４】
尚、前記プリピットＰＰは、グルーブＧに隣接する内側のランドＬ１では偶数シンクフレームに、外側のランドＬ２では奇数シンクフレームにというように配置され、グルーブＧ上の１つのシンクフレームＳＦに対して、左右のランドＬ１、Ｌ２の両方にプリピットＰＰが存在するということはない。
【００２５】
而して、１つのランドＬのトラック方向にシンクフレーム１つおきにその先頭のシンクコードＳＣ位置に形成された各々のプリピットＰＰは、シンクコードＳＣの範囲内で複数ビットの長さＸの組み合わせ（順番を含む）或いはビット数を変えることによって従来にない多値のデータを表現することができる。
【００２６】
例えば、図２に示すように、グルーブＧに記録されるデータのシンクコードＳＣがｌ０Ｔの長さである場合、プリピットＰＰのビット数を２、ビット幅を２Ｔ，４Ｔ長の２通りとすると、その配列の仕方によって４通り、つまリデータ０〜３を１箇所のプリピットＰＰで表すことができる。さらに、ビット長さＸを１Ｔ単位で変化させ、ビット数も１〜３以上と多様化させることにより、従来のように１箇所のプリピットＰＰでデータ０，１の２通りを表すものに比べて、２倍〜数倍の情報をプリピットＰＰに持たせることが可能となるのである。
【００２７】
加えて、前記プリピットＰＰの先頭ビットと前記シンクコードＳＣの間隔が一致するので、シンクコードＳＣをプリピットＰＰの先頭ビットの位置に同期させて記録することができ、更に、前記プリピットＰＰは１シンクフレームおきにシンクフレームＳＦ内に１箇所で一定位相内に配置されることになるので、プリピット検出用クロックとしても用いることができる。
【００２８】
以上のように、本発明の実施の形態に係る光ディスク１によれば、プリピットＰＰが複数のシンクフレームＳＦの各シンクコードＳＣに対応する位相に配置されるため、記録データＤとプリピットＰＰとの干渉がなくなり、再生波形の乱れが防止され、エラーレート等の記録再生特性の劣化が低減される。また、プリピットＰＰをトラック方向のビットの長さＸが異なる複数種の複数のビットの組み合わせで構成しているので、ＤＶＤ−ＲＷ等のように最大３つのプリピットを用いてプリピットデータ０，１を表していた場合や、前述の［特許文献３］の光ディスク１１のようにプリピットＰＰの個数は１個でその長さのみを変化させた場合と比べて数倍のデータ量を長さの異なる複数のビット並びにビット間隔の配列の仕方を変えることによって表すことができる。
【００２９】
次に、本発明の実施形態に係る光ディスク記録再生装置について図３を用いて説明する。
【００３０】
図３に示すように、本発明の実施形態に係る光ディスク記録再生装置１０は、前記光ディスク１をピックアップ２で再生した再生信号Ｓからウォブル信号Ｗを検出するウォブル検出手段３としてのウォブル検出装置と、前記再生信号Ｓと前記ウォブル信号Ｗに基づいて、前記再生信号Ｓから前記プリピットＰＰのプリピット信号Ｓｐｐを分離すると共に、プリピット位置情報（ＰＰタイミング）を出力するプリピット位置検出手段４としてのプリピット位置検出装置と、前記プリピット位置検出手段４によって分離、出力されたトラック方向の長さＸが異なる（例えばＸ１とＸ２で、Ｘ１ ｎｏｔ equal Ｘ２）複数種のビットパターンＢ１、Ｂ２・・から選択された複数のビット（例えば２個）の組み合わせからなる前記プリピットＰＰのビット配列状態より得られる信号を復調して２値化されたデータＤｐｐを生成するプリピット復調手段５としてのプリピット復調装置と、前記プリピット復調手段５で復調された前記データＤｐｐを読み取り、アドレス情報を含む記録及び再生に必要な前記補助情報ＤＨ（アドレス情報の他に層・ゾーン情報、レーザー制御情報等）を得るプリピット再生手段６としてのプリピット再生装置と、前記補肋情報ＤＨ（ゾーン番号やアドレス情報或いは記録制御情報）に基づいて、記録パワーや記録ストラテジーの記録条件を設定する記録・再生条件設定手段７としての記録・再生条件設定装置と、外部から入力される前記情報信号Ｓｄの記録データＤから前記シンクフレームＳＦ内のシンクコードＳＣ位置を検出し、該シンクコードＳＣ位置が前記プリピット位置情報（ＰＰタイミング）の位相と合致するように前記記録データＤを出力するアドレス同期手段８としてのアドレス同期回路と、前記記録・再生条件設定手段７から出力される記録・記録条件に応じて最適なレーザーパワー、記録ストラテジーでピックアップ２のレーザーを駆動して、前記記録データＤを情報信号Ｓｄとして光ディスク１に記録し再生するレーザー駆動手段９としてのレーザー駆動回路と、からなるブロック構成である。
【００３１】
次に、本発明に係る光ディスク記録再生方法について上記光ディスク記録再生装置１０の動作と合わせて説明する。尚、上記各手段の具体例に相当する各装置或いは回路は同符号で表すこととする。
【００３２】
図３に示すように、前記光ディスク１に記録された信号をピックアップで検出し、ここで検出された再生信号Ｓをウォブル検出装置３とプリピット位置検出装置４に出力する。
【００３３】
前記ウォブル検出装置３では、前記再生信号Ｓからウォブル信号Ｗを検出する。  
【００３４】
また、前記プリピット位置検出装置４では、前記ウォブル検出装置３から出力されるウォブル信号Ｗに基づいて、前記再生信号Ｓからトラック方向に長さが異なる数種類のプリピットＰＰのプリピット信号Ｓｐｐを分離すると共にプリピット位相情報を検出して、プリピット信号Ｓｐｐをプリピット復調装置５に出力する。
【００３５】
前記プリピット復調装置５では、前記プリピット位置検出装置４から出力されたトラック方向に長さが異なる数種類のプリピットＰＰのビットＢ１、Ｂ２・・の配列の状態より得られる信号を復調して２値化されたデータＤｐｐを生成する。
【００３６】
前記プリピット再生装置６では、前記プリピット復調装置５で復調されたデータＤｐｐを読み取り、アドレスや層・ゾーン情報等の記録及び再生に必要な補助情報ＤＨを得て、この補助情報ＤＨを記録再生条件設定装置７に出力する。
【００３７】
前記記録再生条件設定装置７では、前記プリピット再生装置６から得られたゾーン番号やアドレス情報或いは記録制御情報に基づいて、記録パワーや記録ストラテジーの記録条件を設定してレーザー駆動回路９に出力する。
【００３８】
アドレス同期回路８では、外部から入力される記録データＤからシンクフレームＳＦのシンクコードＳＣ位置を検出し、このシンクコードＳＣ位置が前記プリピット位置検出装置４から得られたプリピット位置情報（ＰＰタイミング）の位相と合うようにして記録データＤを前記レーザー駆動回路９に出力する。
【００３９】
前記レーザー駆動回路９では、前記記録再生条件設定装置７から出力される記録パワーや記録ストラテジーの記録条件又は再生条件に従って前記ピックアップ２の図示されないレーザーを駆動して、前記アドレス同期回路８から出力される記録データＤを光ディスク１に情報信号Ｓｄとして記録する。
【００４０】
尚、上記各装置は従来のＤＶＤ−ＲＷやＤＶＤ−ＲＡＭで用いられている装置を適用することができ、記録・再生の制御プログラムによって上記各装置、回路を機能させるマイクロコンピュータ等によって実行することができる。
【００４１】
以上のように、本発明の光ディスク、光ディスク記録再生装置及び光ディスク記録再生方法によれば、トラック方向の長さが異なる数種類のピットをシンクフレーム内のシンクコードに同期させて配置させたプリピットのフォーマットを採用した光ディスクを用いて、この光ディスクの再生信号からプリピットに記録されたアドレスや層・ゾーン情報等の記録及び再生に必要な多くの補助情報を読み取ることができるので、エラーレート等の記録再生特性の劣化を低減することができ、光ディスクの高密度化にも資することができる。
【図面の簡単な説明】
【００４２】
【図１】本発明の実施の形態に係る光ディスクの特徴であるプリピットの配置を示す模式図である。
【図２】本発明の実施形態に係る光ディスクのプリピットのビットパターンを示す図である。
【図３】本発明の実施の形態に係る光ディスク記録再生装置を示す図である。
【図４】［特許文献３］に開示された光ディスクに形成されているグルーブの構造を模式的に示した図である。
【図５】［特許文献３］に開示された光ディスクに形成されているプリピットの長さの異なるビットの例を示す模式図である。
【符号の説明】
【００４３】
１    光ディスク
２    ピックアップ
３    ウォブル検出手段
４    プリピット位置検出手段
５    プリピット復調手段
６    プリピット再生手段
７    記録・再生条件設定手段
８    アドレス同期手段
９    レーザー駆動手段
１０    光ディスク記録再生装置
Ｇ    グルーブ
Ｌ    ランド
Ｓｄ    情報信号
ＤＨ    補助情報
ＰＰ    プリピット
ＳＦ    シンクフレーム
Ｔｓｆ    シンクフレーム周期
ＳＣ    シンクコード
Ｓ    再生信号
Ｗ    ウォブル信号
Ｓｐｐ    プリピット信号
Ｘ、Ｘ１、Ｘ２    プリピットのビットのトラック方向の長さ
Ｂ１、Ｂ２    ビット
Ｄｐｐ    プリピット信号を復調して２値化されたデータ
【図１】
2006244598.tif 000003
【図２】
2006244598.tif 000004
【図３】
2006244598.tif 000005
【図４】
2006244598.tif 000006
【図５】
2006244598.tif 000007